(57)【要約】【課題】直管型LED灯を既設の蛍光灯取付け装置に取付け可能として、既設の蛍光灯取付け装置を有効活用し、LED灯が変形しても脱落しないようにする【解決手段】直管型蛍光灯、ソケットを取外した既設の蛍光灯取付け装置のソケット支持具、フレーム、反射板等にLED灯を取付けた。LED灯の取付けに、既設の蛍光灯取付け装置のソケット支持具、フレーム、反射板等に取付け可能な連結治具を使用する。既設の蛍光灯取付け装置のソケット支持具、フレーム、反射板等に取付けた連結治具に直に又はLED灯を保持可能なLED灯保持具を取付けることにより、LED灯を既設の蛍光灯取付け装置に取付ける。【選択図】図１
2011049143.tif 000002
【特許請求の範囲】
【請求項１】
直管型蛍光灯とソケットを取外した既設の蛍光灯取付け装置に直管型LED灯を取付けたことを特徴とするLED灯照明装置。
【請求項２】
直管型蛍光灯とソケットを取外した既設の蛍光灯取付け装置に連結治具を取付け、その連結治具に直管型LED灯を取付けたことを特徴とするLED灯照明装置。
【請求項３】
直管型蛍光灯とソケットを取外した既設の蛍光灯取付け装置のソケット支持具、フレーム、反射板のいずれか、又はフレーム及びそれに重ねた反射板に連結治具を取付け、その連結治具に直管型LED灯を取付けたことを特徴とするLED灯照明装置。
【請求項４】
請求項１乃至請求項３のいずれかに記載のLED灯照明装置において、LED灯がその軸方向両端に支持用又は電極用のピンを備えないピンレスタイプであることを特徴とするLED灯照明装置。
【請求項５】
請求項１乃至請求項４のいずれかに記載のLED灯照明装置において、既設の蛍光灯取付け装置における安定器をLED灯照明用電源器に替え、そのLED灯照明用電源器を介してLED灯に電源供給できるようにしたことを特徴とするLED灯照明装置。
【請求項６】
請求項２乃至請求項５のいずれかに記載のLED灯照明装置に使用される連結治具が、既設の蛍光灯取付け装置に連結可能な既設側連結部と、LED灯保持具又は直管型LED灯を取付け可能な灯側連結部を備えたことを特徴とするLED灯照明装置用連結治具。
【請求項７】
請求項２乃至請求項５のいずれかに記載のLED灯照明装置に使用される連結治具が、直管型LED灯を保持可能なLED灯保持具に固定又は脱着可能であることを特徴とするLED灯照明装置用連結治具。
【請求項８】
請求項２乃至請求項５のいずれかに記載のLED灯照明装置に使用される連結治具が、一つの基材に二以上設けられ、その基材の連結治具と反対側に、LED灯保持具が固定又は脱着可能であることを特徴とするLED灯照明装置用連結治具。
【請求項９】
請求項２乃至請求項５のいずれかに記載のLED灯照明装置に使用される連結治具の既設側連結部が、既設の蛍光灯取付け装置の一部を挟着保持可能な二つの挟着片を備えることを特徴とするLED灯照明装置用連結治具。
【請求項１０】
直管型蛍光灯とソケットを取外した既設の蛍光灯取付け装置に直管型LED灯を取付けるLED灯保持具であり、そのLED灯保持具は直管型LED灯の軸方向端部を嵌入可能な収容空間と、前記取外し後の蛍光灯取付け装置又は同装置に取付けられた連結治具に取付けられる取付け部と、直管型LED灯の灯本体と前面カバーの嵌合部が嵌入可能な嵌合溝を備えたことを特徴とするLED灯保持具。
【請求項１１】
直管型蛍光灯とソケットを取外した既設の蛍光灯取付け装置に取付けられる直管型LED灯であり、直管型LED灯は灯本体とそれのLED光出射側に取付けられる前面カバーを備え、灯本体は半円筒形又は略半円筒形であり、背面周方向に間隔をあけて数本の放熱フィンが設けられ、それら放熱フィンは灯本体の軸方向に細長であり、その軸方向に間隔をあけて二以上のLEDが取付けられ、前面カバーは半円筒形又は略半円筒形であり、灯本体の開口部に対向して取付けられ、灯本体及び前面カバーの軸方向両端に支持用又は電極用のピンを備えないピンレスタイプであることを特徴とするLED灯照明装置用LED灯。
【請求項１２】
請求項１１記載のLED灯照明装置用LED灯において、灯本体又は／及び前面カバー内にLEDの点灯に必要な電源回路が搭載されたことを特徴とするLED灯照明装置用LED灯。
【発明の詳細な説明】
【技術分野】
【０００１】
本願発明は、蛍光灯とソケットを取外した後の既設の蛍光灯取付け装置にLED灯を装備したLED灯照明装置と、取外し後の既設の蛍光灯取付け装置に連結可能でありLED灯を連結可能な連結治具と、LED灯を保持可能なLED灯保持具と、LED灯照明装置用LED灯に関する。
【背景技術】
【０００２】
これまで人工照明に利用される灯具は、白熱灯や蛍光灯が主流であったが、これら白熱灯や蛍光灯は寿命が短く、頻繁に交換する必要があった。
【０００３】
昨今、多くの場面で発光ダイオード（LED：Light Emitting Diode）の利用が広がり、人工照明にもこのLEDが利用されるようになった。LED灯は白熱灯や蛍光灯に比べるとはるかに寿命が長く、紫外線をほとんど含まず、灯具の小型化、軽量化が可能であり、省電力である、など様々な長所を備えている。
【０００４】
多くの職場や家庭には白熱灯や蛍光灯を用いた照明器具が設置されている。これらを新たに、LEDあるいはLEDモジュールを使用したLED灯に交換するとなると、白熱灯や蛍光灯といった蛍光灯取付け装置を天井や壁面等から取外す必要があり、さらにこれらを廃棄物として処分しなければならない。我が国では廃棄物処分場が飽和状態に近付きつつあり、全国規模で蛍光灯取付け装置が廃棄物として発生することは望ましくない。
【０００５】
特許文献１では、既設の直管型蛍光灯をLED灯に交換する場合に、天井や壁等に取付けられている蛍光灯取付け装置や反射板等をそのまま残し、それらをLED灯取付け装置として利用することが提案されている。
【先行技術文献】
【特許文献】
【０００６】
【特許文献１】特開２００１−３５１４０２号公報
【発明の概要】
【発明が解決しようとする課題】
【０００７】
特許文献１では、既設の蛍光灯取付け装置を廃棄物として出さないという利点はあるものの、直管型蛍光灯のように細長いLED灯（直管型LED灯）の両端にピン型口金があり、このピン型口金のピン端子を既設の蛍光灯取付け装置のソケットに嵌合させてLED灯を支持する構造となっているため次のような問題があった。LEDは発熱量が多いため直管型LED灯は軸方向中央部が湾曲したり変形したりすることがあり、短いピン端子をソケットに挿入しただけではピン端子がソケットから外れてLED灯が落下するおそれがあった。
【０００８】
本願発明の課題は、天井、壁等に取付けられている既設の蛍光灯取付け装置を廃棄物として出すことなく、蛍光灯とソケットを外した後の既設の蛍光灯取付け装置のフレーム、ソケット支持具、反射板等をそのまま利用でき、LED灯を確実に保持できるLED灯照明装置と、前記フレーム、ソケット支持具、反射板等に取付け可能な連結治具と、前記LED灯照明装置にLED灯を保持可能なLED灯保持具と、前記蛍光灯取付け装置に取付け可能なLED灯を提供することにある。
【課題を解決するための手段】
【０００９】
本願発明のLED灯照明装置は、直管型蛍光灯とソケットを取外した既設の蛍光灯取付け装置に直管型LED灯を取付けたものである。
【００１０】
本願発明のLED灯照明装置は、直管型蛍光灯とソケットを取外した既設の蛍光灯取付け装置に連結治具を取付け、その連結治具に直管型LED灯を取付けたものである。
【００１１】
本願発明のLED灯照明装置は、直管型蛍光灯とソケットを取外した既設の蛍光灯取付け装置のソケット支持具、フレーム、反射板のいずれか、又はフレーム及びそれに重ねた反射板に連結治具を取付け、その連結治具に直管型LED灯を取付けたものである。
【００１２】
本願発明のLED灯照明装置は、前記いずれかに記載のLED灯照明装置において、LED灯がその軸方向両端に支持用又は電極用のピンを備えないピンレスタイプのものである。
【００１３】
本願発明のLED灯照明装置は、前記いずれかに記載のLED灯照明装置において、既設の蛍光灯取付け装置における安定器をLED灯照明用電源器に替え、そのLED灯照明用電源器を介してLED灯に電源供給可能としたものである。
【００１４】
本願発明のLED灯照明装置用連結治具は、既設の蛍光灯取付け装置に連結可能な既設側連結部と、LED灯保持具又は直管型LED灯を取付け可能な灯側連結部を備えたものである。
【００１５】
本願発明のLED灯照明装置用連結治具は、直管型LED灯を保持可能なLED灯保持具に固定又は脱着可能とすることもできる。
【００１６】
本願発明のLED灯照明装置用連結治具は、一つの基材に二以上設けられ、その基材の連結治具と反対側に、LED灯保持具が固定又は脱着可能とすることもできる。
【００１７】
本願発明のLED灯照明装置用連結治具は、前記LED灯照明装置用連結治具の既設側連結部が、既設の蛍光灯取付け装置の一部を挟着保持可能な二つの挟着片を備えたものである。
【００１８】
本願発明のLED灯保持具は、直管型蛍光灯とソケットを取外した既設の蛍光灯取付け装置に直管型LED灯を取付けるLED灯保持具であり、そのLED灯保持具は直管型LED灯の軸方向端部を嵌入可能な収容空間と、前記取外し後の蛍光灯取付け装置又は同装置に取付けられた連結治具に取付けられる取付け部と、直管型LED灯の灯本体と前面カバーの嵌合部が嵌入可能な嵌合溝を備えたものである。
【００１９】
本願発明のLED灯照明装置用LED灯は、直管型蛍光灯とソケットを取外した既設の蛍光灯取付け装置に取付けられる直管型LED灯であり、直管型LED灯は灯本体とそれのLED光出射側に取付けられる前面カバーを備え、灯本体は半円筒形又は略半円筒形であり、背面周方向に間隔をあけて数本の放熱フィンが設けられ、それら放熱フィンは灯本体の軸方向に細長であり、その軸方向に間隔をあけて二以上のLEDが取付けられ、前面カバーは半円筒形又は略半円筒形であり、灯本体の開口部に対向して取付けられ、灯本体及び前面カバーの軸方向両端に支持用又は電極用のピンを備えないピンレスタイプのものである。
【００２０】
本願発明のLED灯照明装置用LED灯は、前記LED灯照明装置用LED灯において、灯本体又は／及び前面カバー内にLEDの点灯に必要な電源回路が搭載されたものである。
【発明の効果】
【００２１】
本願発明のLED灯照明装置は次のような効果がある。
１．直管型蛍光灯とソケットを取外した既設の蛍光灯取付け装置をそのまま有効利用できるので、既設の蛍光灯取付け装置の無駄が少なく、廃棄処分される部品も少なくなり、廃棄物処理場の負担増を抑制できる。
２．直管型LED灯が、直管型蛍光灯とソケットを取外した既設の蛍光灯取付け装置に取付けられた連結治具に直に又はLED灯保持具を介して取付けられているので、直管型LED灯の取付けが確実になり、LEDからの放熱で直管型LED灯が変形しても脱落のおそれがない。
３．ピンレスタイプの直管型LED灯を使用することにより、既設の蛍光灯用ソケットがなくても取付け可能である。
４．LEDが長寿命であることから、長期にわたって直管型LED灯を交換する必要がなく、経済的でもある。
５．既設の蛍光灯取付け装置の安定器をLED灯照明用電源器に交換して既設の蛍光灯取付け装置の電源配線を利用できるので、新設配線の面倒がない。
【００２２】
本願発明のLED灯照明装置用連結治具は次のような効果がある。
１．既設の蛍光灯取付け装置に装着できる既設側連結部と、直管型LED灯又はLED灯保持具を取付け可能な灯側連結部があるため、蛍光灯取付け装置への取付けも、直管型LED灯の取付けも容易にできる。
２．連結治具が、蛍光灯用ソケットを取外した既設の蛍光灯取付け装置のソケット支持具、フレーム、反射板等に取付け可能であるため、既設の蛍光灯取付け装置を有効活用できる。
３．連結治具がピンレスタイプの直管型LED灯を保持できるLED灯保持具に取付けられている場合は、直管型LED灯の取付けが容易且つ確実にできる。
４．連結治具が既設の蛍光灯取付け装置のソケット支持具、フレーム、反射板等を挟着保持可能な二つの挟着片を有する場合は、その挟着片で前記ソケット支持具、フレーム、反射板等を挟んでそれらへ取付けることができ、取付けが容易且つ確実になる。
【００２３】
本願発明のLED灯保持具は次のような効果がある。
１．取付け部を備えているので、蛍光灯、ソケットを取外した既設の蛍光灯取付け装置への取付けが容易である。
２．収容空間と嵌合溝を備えているので、LED灯の保持が確実になる。
【００２４】
本願発明のLED灯照明装置用LED灯は次のような効果がある。
１．半円筒状又は略半円筒状の灯本体と、灯本体の開口部に脱着可能な半円筒状又は略半円筒状の前面カバーが互いに脱着可能であるので、灯本体と前面カバーの取付けが容易且つ確実になり、前面カバーを外せば連結治具への取付けも容易になる。
２．放熱フィンが本体の背面周方向に間隔をあけて複数本設けられ、それら放熱フィンが本体の軸方向に細長であるため、灯本体が小型であっても放熱効率が良い。
３．灯本体及び前面カバーの軸方向両端にピン型口金を備えないピンレスタイプの場合は、構成が簡潔で安価になり、LED灯保持具に嵌合し易くもなる。
４．本体に電源回路を搭載した場合は、LED灯の外部に別途電源回路を設ける必要がなく、構成が簡素になる。
【図面の簡単な説明】
【００２５】
【図１】本願発明のLED灯照明装置用連結治具を、既設の蛍光灯取付け装置のソケット支持具に取付ける過程の説明図。
【図２】本願発明のLED灯照明装置用連結治具を、既設の蛍光灯取付け装置のソケット支持具に取付けた状態の説明図。
【図３】本願発明のLED灯照明装置用LED灯にLED灯保持具を嵌合した状態の説明図。
【図４】（ａ）は本願発明のLED灯照明装置用連結治具の一例を示す底面側斜視図、（ｂ）は上面側斜視図。
【図５】（ａ）は図６に示すLED灯保持具にセットした直管型LED灯を図２の連結治具に取付けた状態を示す縦断正面図、（ｂ）は同状態を示す縦断側面図。
【図６】（ａ）は本願発明のLED灯照明装置に使用されるLED灯保持具の一例を示す右側斜視図、（ｂ）は左側斜視図。
【図７】本願発明のLED灯照明装置用LED灯の分解斜視図。
【図８】本願発明のLED灯照明装置用LED灯の組立て斜視図。
【図９】本願発明のLED灯照明装置用LED灯をLED灯保持具に嵌合した状態の左側端部の斜視図。
【図１０】本願発明のLED灯照明装置用LED灯と端面閉塞具及び連結治具の取付け状態の一例を示す一部分解斜視図。
【図１１】（ａ）は図９のLED灯照明装置用LED灯を既設の蛍光灯取付け装置のソケット支持具に連結治具を介して取付けた状態の縦断正面図、（ｂ）は同状態の縦断側面図。
【図１２】本願発明のLED灯照明装置用連結治具の他例を示すもので、（ａ）は底面側斜視図、（ｂ）は上面側斜視図、（ｃ）はネジ締付け前の縦断面図、（ｄ）はネジ締付け後の縦断面図。
【図１３】図１２に示すLED灯照明装置用連結治具を既設の蛍光灯取付け装置のソケット支持具に取付けた状態を示す説明図。
【図１４】本願発明のLED灯照明装置において、図１２に示すLED灯照明装置用連結治具を反射板に取付けた状態の説明図。
【図１５】（ａ）は本願発明のLED灯照明装置用連結治具を他の形状のソケット支持具に取付けた状態を示す部分図、（ｂ）は反射板を取付けた状態の底面図。
【図１６】本願発明の二連型のLED灯照明装置用連結治具を示すもので、（ａ）は底面側斜視図、（ｂ）は上面側斜視図。
【図１７】図１６の二連型のLED灯照明装置用連結治具を使用して既設の二灯型蛍光灯取付け装置にLED灯を二灯取付けた状態の縦断正面図。
【図１８】既設のＶ字型蛍光灯取付け装置にLED灯を取付けた状態の縦断正面図。
【図１９】（ａ）は本願発明のLED灯照明装置内の配線説明図、（ｂ）は既設の蛍光灯取付け装置内の配線説明図。
【図２０】既設の二灯型蛍光灯取付け装置にLED灯を一灯取付けた状態の縦断正面図。
【図２１】既設のＶ型二灯型蛍光灯取付け装置にLED灯を一灯取付けた状態の縦断正面図。
【図２２】直管型蛍光灯を二本取付けた従来の蛍光灯取付け装置の説明図。
【図２３】直管型蛍光灯一本用の従来の蛍光灯取付け装置の説明図。
【図２４】図２３の蛍光灯取付け装置からソケットを取外す状態の説明図。
【発明を実施するための形態】
【００２６】
（実施形態）
本願発明のLED灯照明装置と、それに使用される連結治具、LED灯保持具及びLED灯の実施形態の一例を図面に基づいて説明する。本願発明のLED灯照明装置の一例として図示したものは、図２２、図２３に示す既設の蛍光灯照明装置（蛍光灯取付け装置）１から直管型蛍光灯２（図２２）を取外し、図２４のように反射板３、ソケット４を取外し、既設の蛍光灯取付け装置１のフレーム５の内側に残ったソケット支持具６に、図１、図２のように連結治具７を取付け、前記フレーム５に反射板３を付け戻し、反射板３の開口部３ａ（図２）から下方に露出又は突出する連結治具７に、その下方から図３のように細長の直管型LED灯（取外した蛍光灯とほぼ同じ長さ）８の軸方向端部に被せたLED灯保持具９をネジ１０（図２）により、図５（ａ）、（ｂ）のように直管型LED灯８を既設の蛍光灯取付け装置１に取付けたものである。
【００２７】
図１、図２に示す既設のソケット支持具６はコ字形であるが、ソケット支持具６には各種形状のもの、例えば図１５（ａ）に示すようなものがある。図１、図２は蛍光灯取付け装置１の軸方向一端（左端）部分のみを図示してあるが、本願発明のLED灯照明装置は軸方向他端（右端）にも左端部分と同様に、既設のソケット４を取外して残ったソケット支持具６があり、それに連結治具７を取付け、反射板３を前記蛍光灯取付け装置１に付け戻し、反射板３の開口部３ａから下方に露出又は突出する連結治具７にその下方から、図３の直管型LED灯８の軸方向右端のLED灯保持具９をネジ１０で取付けて、直管型LED灯８の右端も既設の蛍光灯取付け装置１に図５（ａ）、（ｂ）に示すように取付けてある。
【００２８】
前記連結治具７の詳細を図４に示す。この連結治具７は図１、図２に示すようにソケット支持具６に嵌合可能な嵌合溝１１と、ソケット支持具６を挟持可能な二つの挟着片１２、１３とを備えた既設側取付け部１４と、LED灯保持具９を取付け可能な止め孔（灯側連結部）１５を備えている。前記嵌合溝１１は図２のように板状のソケット支持具５の奥まで被せることができるように連結治具７の幅方向両側面に開口しており、二つの挟着片１２、１３は嵌合溝１１の上下に対向して形成されている。前記止め孔１５は貫通方向入口側（図２のようにソケット支持具６に取付けると下になる側）がネジ無し孔１５ａ（図４（ａ））、貫通方向出口側（図２のようにソケット支持具６に取付けると上になる側）がネジ孔１５ｂ（図４（ｂ））となっている。この孔構造とすることにより、図２のようにLED灯保持具９の止め孔（取付け部）９ａにその下方から差込んだネジ（ボルト）１０が図５（ｂ）のようにネジ無し孔１５ａに差込まれ、途中からネジ孔１５ｂにネジ込まれてLED灯保持具９が連結治具７に固定されるようにしてある。連結治具７はアルミ製、金属製、樹脂製、その他の所望材質製とすることができ、LED灯を吊下げても変形しない剛性とするのがよい。前記嵌合溝１１はそれを嵌合部材、例えば、ソケット支持具６に密に嵌合できて、嵌合するだけで嵌合部材から外れないようにしておくのが望ましい、そのためには、嵌合溝１１の両側の二つの挟着片１２、１３をバネ構造、例えば板バネ状にするとか、他の挟着構造とすることができる。
【００２９】
LED灯保持具９の詳細を図６に示す。このLED灯保持具９は直管型LED灯８の軸方向一端を収容できる収容空間１６と、図７、図８に示す直管型LED灯８の灯本体１７の受け溝１７ｂ内に前面カバー１８の差込突部１８ｂを嵌入した連結部１９を差込可能な嵌合溝２０と、灯本体１７の放熱フィン２１（図７）のうち両外側の放熱フィン２１の上に図８のように被さる上縁２２（図６）と、連結治具７にネジ止めするための止め孔９ａ（図６）を備えている。図６の収容空間１６は下部がLED灯の形状に合わせて半円状又は略半円状であり、上部が開口しており、嵌合溝２０と上縁２２の夫々が両側壁２３の軸方向に沿って形成されている。嵌合溝２０は左右の側壁２３の対向位置に形成され、上縁２２も左右の側壁２３の対向位置に形成されている。LED灯保持具９は剛性（硬質）の樹脂製であるが、LEDからの放熱で変形しにくく、放熱性に優れたものが良く、アルミ製、金属製といった材質製とすることもできる。
【００３０】
直管型LED灯８は図７に示すように、灯本体１７と前面カバー１８で構成されている。灯本体１７は金属、アルミ等の放熱性に優れた材質製であり、細長の半円筒状又は略半円筒状であり、開口部１７ａと受け溝１７ｂを備え、受け溝１７ｂは灯本体１７の幅方向両側に形成され、灯本体１７の長手方向全長に形成されている。灯本体１７の背面には数本の放熱フィン２１が周方向に間隔をあけて配列されており、各放熱フィン２１は灯本体１７の軸方向に細長である。
【００３１】
灯本体１７の幅方向中央部には、外側に一段突出した（内側：図７では上方に一段窪んだ）LED配置部２４（図７）が形成されている、そのLED配置部２４は灯本体１７の軸方向に沿って細長に形成されており、そのLED配置部２４の内面に多数のLED２５（図１２）が間隔をあけて配置固定されている。LED２５はチップ状のものを個々に配置固定することもできるが、多数のLED２５が基板２６に間隔をあけて配置固定されているLEDモジュールを配置固定することもできる。灯本体１７にはLED２５の点灯に必要な電源回路や電源回路に必要な電子部品、電気機器等を組み込むことができる。これら電源回路、電子部品、電気機器等は灯本体１７の軸方向両端部に設けて、灯本体１７及び前面カバー１８の軸方向両端部に被せるLED灯保持具９の内側に隠れるようにすると体裁が良い。前記灯本体１７の受け溝１７ｂ内に前面カバー１８の差込突起１８ｂを差込んで直管型LED灯８としてある。
【００３２】
図７の前面カバー１８は細長の半円筒状又は略半円筒状であり、開口部１８ａと差込突起１８ｂを備え、差込突起１８ｂは前面カバー１８の幅方向両側方に突出して形成され、前面カバー１８の長手方向全長に形成されている。差込突起１８ｂは前記受け溝１７ｂに嵌入可能である。前面カバー１８は直進性のLED光をまぶしくならない程度に遮光（減光）できるものや、前面カバーの幅方向（横方向）に拡散できるものが望ましい。一例としては半透明の樹脂製や曇りガラス製とすることができるし、着色されたものでもよい。前面カバー１８の内側或いは内面に光拡散板を積層したり配置したりすることもできる。本願発明の灯本体１７、前面カバー１８の形状、サイズ等は用途に合わせて変えることができる。灯本体１７及び前面カバー１８の軸方向両端は開口しており、従来の蛍光灯のピン型口金２８（図２０）を備えないピンレスタイプとして、LED灯保持具９（図６）に差込み易くしてある。
【００３３】
本願発明のLED灯照明装置は、図６に示すようなLED灯保持具９を使用せずに、図１０に示すように、図１１（ａ）、（ｂ）のように既設の蛍光灯取付け装置１のソケット支持具６に固定した連結治具７に、直管型LED灯８を直にネジで取付ける（直付けする）こともできる。図１１（ａ）、（ｂ）では図１０の連結治具７の嵌合溝１１（図１）をソケット支持具６に固定し、その連結治具７に、その下方から直管型LED灯８の前面カバー１８（図７）を取外した灯本体１７をネジ１０で固定し、その後に、灯本体１７の受け溝１７ｂに前面カバー１８の差込突起１８ｂを差込んで直管型LED灯８を組み立て、その直管型LED灯８の軸方向両端に図１０のように板状の端面閉塞具２７を取付けたものである。端面閉塞具２７はその差込筒部２７ａ（図１０）を図１１（ｂ）のように直管型LED灯８の灯本体１７及び前面カバー１８の内側に差込んで取付けてある。この場合の直管型LED灯８もピンレスタイプである。
【００３４】
本願発明のLED灯照明装置は、図１２（ａ）、（ｂ）に示す連結治具７を使用して、既設の蛍光灯取付け装置１に直管型LED灯８を図１３のように取付けることもできる。図１２（ａ）、（ｂ）に示す連結治具７はブロック３１が溶接とか他の手段で固定された平板状の挟着片１３と平板状の挟着片１２が対向しており、その両挟着片１３とその間の空間１１により既設の蛍光灯取付け装置１に連結可能な既設側連結部１４が形成され、前記両挟着片１２、１３は、ブロック３１から挟着片１３を貫通して挟着片１２までねじ込まれた２本の締付けネジ３０で連結され、その締付けネジ３０の締付けを緩めると対向する２枚の両挟着片１２、１３の空間１１が図１２（ｃ）のように広がり、締付けネジ３０を締付けるとその空間１１が図１２（ｄ）のように狭くなって、図１３のように両挟着片１２、１３間に例えばソケット支持具６を挟着固定できるようにしてある。前記両締付けネジ３０の間に止め孔１５が開口されている。この止め孔１５は図１２（ｃ）、（ｄ）に示すようにブロック３１の底面から灯側連結部１５の挟着片１３まで貫通し、ブロック３１内がネジ孔、挟着片１３内がネジ無し孔となっている。この連結治具７を使用して直管型LED灯８を取付けるには、図１３のように連結治具７をソケット支持具６に取付け、反射板３を付け戻す。このとき、連結治具７の灯側連結部１５が反射板３の既設の開口部３ａから下方に露出する。その状態で直管型LED灯８の軸方向両端が嵌合されたLED灯保持具９（図１３）を、図１３のように反射板３の下からネジ１０で連結治具７の止め孔１５にねじ込んで、直管型LED灯８を既設の蛍光灯取付け装置１に取付けることができる。
【００３５】
図１２（ａ）、（ｂ）に示す連結治具７は、図１４のように、既設の蛍光灯取付け装置１の反射板３の軸方向一端の周縁部３ｂに取付けることもできる。図１４に示すものは、二枚の挟着片１２、１３で反射板３の周縁部３ｂを挟み、二本の締付けネジ３０を締付けて両挟着片１２、１３で周縁部３ｂを挟着固定する。その固定状態で図９のように直管型LED灯８の軸方向両端が嵌合されたLED灯保持具９を、図１３に示すようなネジ１０で図１４に示す連結治具７の止め孔１５にねじ込んで、直管型LED灯８を既設の蛍光灯取付け装置１に取付けることができる。
【００３６】
図１２（ａ）、（ｂ）に示す連結治具７は、図１５（ａ）、（ｂ）のようにして、既設の蛍光灯取付け装置１のソケット支持板６に取付けることもできる。図１５（ａ）に示すものは、二枚の挟着片１２、１３でソケット支持具６を挟み、二本の締付けネジ３０を締付けて両挟着片１２、１３でソケット支持具６を挟着固定する。その二つの連結治具７に、LED灯保持具９が取付けられている基板３２をネジ１０で固定して、直管型LED灯８を既設の蛍光灯取付け装置１に取付けることができる。
【００３７】
本願発明では図１２（ａ）、（ｂ）の連結治具７を、既設の蛍光灯取付け装置１のフレーム５の周縁部５ａ（図１２）に取付けて、その連結治具７に直管型LED灯８を取付けることもできる。連結治具７は既設の蛍光灯取付け装置１のフレーム５の周縁部５ａとそれに重ねた反射板３の双方を、図１２（ａ）、（ｂ）の連結治具７の挟着片１２、１３で挟み、締付けネジ３０を締付けてフレーム５の周縁部５ａと反射板３の周縁部３ｂの双方に挟着固定することもできる。この場合は、反射板３だけの場合よりも強度が優れ、直管型LED灯８の支持が確実、安全になる。
【００３８】
本願発明で使用する連結治具７は図１６（ａ）、（ｂ）のようなものであってもよい。この連結治具７は図４の連結治具７を二つ連結したものであり、図１７のように既設の蛍光灯取付け装置１の二つのソケット支持具６に取付け、左右の連結治具７にソケット支持具６を取付けて、直管型LED灯８を取付けることができるようにしてある。この場合、連結治具７のブロック３１を反射板３の開口部３ａから下方に突出させておくことにより連結治具７への直管型LED灯８の取付けが容易になり、反射板３に孔をあけることなく連結治具７に直管型LED灯８を取付けることができる。
【００３９】
図１８は、Ｖ型の反射板３を備えた蛍光灯取付け装置１に直管型LED灯８を取付けた例である。この場合は、蛍光灯取付け装置１の二つのソケット支持具６に図４又は図１２（ａ）、（ｂ）に示す連結治具７を取付け、それら連結治具７にLED灯保持具９を取付けて、直管型ＬＥＤ灯８を保持できるようにしてある。この場合も、連結治具７のブロック３１を反射板３の開口部３ａから下方に突出させておくことにより連結治具７への直管型LED灯８の取付けが容易になり、反射板３に孔をあけることなく連結治具７に直管型LED灯８を取付けることができる。
【００４０】
本願発明の連結治具７は既設の蛍光灯取付け装置１に取付け可能であれば図示した以外の形状、構造のものであってもよく、既設の蛍光灯取付け装置１のソケット支持具６、フレーム５、反射板３以外の箇所に取付け可能なものであってもよい。連結治具７はLED灯保持具９と一体化しておくこともでき、連結治具７及びLED灯保持具９が樹脂製の場合は一体成型、アルミ製の場合は一体に押出成型、その他の金属の場合は溶接等で一体化することもできる。
【００４１】
本願発明のLED灯保持具９も直管型LED灯８の軸方向端部又は軸方向任意の箇所（例えば中間部）を保持可能であれば他の形状、構造、サイズであってもよい。連結治具７へのLED灯保持具９の取付けもボルト１０（図５）以外の固定手段であってもよい。
【００４２】
既設の蛍光灯取付け装置１は図１９（ｂ）に示すように安定器４０を備えているが、本願発明のLED灯照明装置では、その安定器４０を図１９（ａ）のようにLED灯照明用電源器（LEDドライバ）４１に替え、そのLED灯照明用電源器４１と直管型LED灯８を接続コネクタ４２で接続して直管型LED灯８に電源供給できるようにすることができる。
【００４３】
図２０は板状の一枚の基材３２に取付けられている二つの連結治具７を既設の蛍光灯取付け装置１のソケット支持具６に取付け、連結治具７の下から反射板３を付け戻し、反射板３の開口部３ａから連結治具７のブロック３１を下方に突出させておく。この状態で、LED灯保持具９を前記基材３２の下面に固定ネジ３３で取付けて直管型LED灯８を既設の蛍光灯取付け装置１に取付けてある。このようにすることにより蛍光灯が二本取付けられていた既設の蛍光灯取付け装置に一本のLED灯を取付けることができる。この場合、連結治具７と基材３２は一体であっても別体であってもよい。別体の場合は固定ネジ３３で脱着可能とする。図２０の基材３２は平板であるが、他の形状、構造であってもよい。この場合も、連結治具７のブロック３１を反射板３の開口部３ａから下方に突出させておくことにより連結治具７への直管型LED灯８の取付けが容易になり、反射板３に孔をあけることなく連結治具７に直管型LED灯８を取付けることができる。
【００４４】
図２１は一枚の基材３２に取付けられている二つの連結治具７を既設の蛍光灯取付け装置のソケット支持具６に取付け、連結治具７の下から反射板３を付け戻し、反射板３の開口部３ａから連結治具７のブロック３１を下方に突出させておく。この状態で、その基材３２の下面に固定ネジ３３で取付けられているLED灯保持具９に直管型LED灯８が保持されている。このようにすることにより蛍光灯が二本取付けられていた既設の蛍光灯取付け装置に一本のLED灯を取付けることができる。この場合の連結治具７と基材３２も一体であっても別体であってもよい。別体のときは固定ネジ３３で脱着可能とする。図２０の基材３２はその軸方向中央部３４が平坦で、その両側部分３５が外側上がりに傾斜し、軸方向中央部３４にLED灯保持具９を固定ネジ３３で取付けてある。この基材３２も他の形状、構造とすることもできる。この場合も、連結治具７のブロック３１を反射板３の開口部３ａから下方に突出させておくことにより連結治具７への直管型LED灯８の取付けが容易になり、反射板３に孔をあけることなく連結治具７に直管型LED灯８を取付けることができる。
【００４５】
本願発明は蛍光灯が３本以上の既設の蛍光灯取付け装置１に付け替えることもできるし、図示した以外の形状の蛍光灯取付け装置１に付け替えることもできる。本願発明における連結治具７、LED灯支持具９、灯本体１７、前面カバー１８、他の構成部材を全て不燃材製にすると、地下鉄の構内とかその他の不燃要請場所に設置するのに適する。直管型LED灯８の前面カバー１８の不燃材としては例えばガラスがある。
【符号の説明】
【００４６】
１  蛍光灯取付け装置
２  直管型蛍光灯
３  反射板
３ａ  反射板の開口部
３ｂ  反射板の周縁部
４  ソケット
５  フレーム
５ａ  フレームの周縁部
６  ソケット支持具
７  連結治具
８  直管型LED灯
９  LED灯保持具
９ａ  LED灯保持具の取付け部（止め孔）
１０  ネジ（ボルト）
１１  嵌合溝
１２  挟着片
１３  挟着片
１４  既設側連結部
１５  灯側連結部（止め孔）
１５ａ  ネジ無し孔
１５ｂ  ネジ孔
１６  収容空間
１７  灯本体
１７ａ  開口部
１７ｂ  灯本体の受け溝
１８  前面カバー
１８ａ  前面カバーの開口部
１８ｂ  前面カバーの差込突部
１９  連結部
２０  嵌合溝
２１  放熱フィン
２２  上縁
２３  側壁
２４  LED配置部
２５  LED
２６  基板
２７  端面閉塞具
２７ａ  差込筒部
２８  ピン型口金
３０  締付けネジ
３１  ブロック
３２  基材
３３  固定ネジ
３４  基材の中央部
３５  基材の両側部分
４０  安定器
４１  LED灯照明用電源器
４２  接続コネクタ
【図１】
2011049143.tif 000003
【図２】
2011049143.tif 000004
【図３】
2011049143.tif 000005
【図４】
2011049143.tif 000006
【図５】
2011049143.tif 000007
【図６】
2011049143.tif 000008
【図７】
2011049143.tif 000009
【図８】
2011049143.tif 000010
【図９】
2011049143.tif 000011
【図１０】
2011049143.tif 000012
【図１１】
2011049143.tif 000013
【図１２】
2011049143.tif 000014
【図１３】
2011049143.tif 000015
【図１４】
2011049143.tif 000016
【図１５】
2011049143.tif 000017
【図１６】
2011049143.tif 000018
【図１７】
2011049143.tif 000019
【図１８】
2011049143.tif 000020
【図１９】
2011049143.tif 000021
【図２０】
2011049143.tif 000022
【図２１】
2011049143.tif 000023
【図２２】
2011049143.tif 000024
【図２３】
2011049143.tif 000025
【図２４】
2011049143.tif 000026
【手続補正書】
【提出日】平成22年8月30日(2010.8.30)
【手続補正１】
【補正対象書類名】明細書
【補正対象項目名】全文
【補正方法】変更
【補正の内容】
【発明の詳細な説明】
【技術分野】
【０００１】
本願発明は、蛍光灯とソケットを取外した後の既設の蛍光灯取付け装置にLED灯を装備したLED灯照明装置と、取外し後の既設の蛍光灯取付け装置に連結可能でありLED灯を連結可能な連結治具と、LED灯を保持可能なLED灯保持具と、LED灯照明装置用直管型LED灯に関する。
【背景技術】
【０００２】
これまで人工照明に利用される灯具は、白熱灯や蛍光灯が主流であったが、これら白熱灯や蛍光灯は寿命が短く、頻繁に交換する必要があった。
【０００３】
昨今、多くの場面で発光ダイオード（LED：Light Emitting Diode）の利用が広がり、人工照明にもこのLEDが利用されるようになった。LED灯は白熱灯や蛍光灯に比べるとはるかに寿命が長く、紫外線をほとんど含まず、灯具の小型化、軽量化が可能であり、省電力である、など様々な長所を備えている。
【０００４】
多くの職場や家庭には白熱灯や蛍光灯を用いた照明器具が設置されている。これらを新たに、LEDあるいはLEDモジュールを使用したLED灯に交換するとなると、白熱灯や蛍光灯といった蛍光灯取付け装置を天井や壁面等から取外す必要があり、さらにこれらを廃棄物として処分しなければならない。我が国では廃棄物処分場が飽和状態に近付きつつあり、全国規模で蛍光灯取付け装置が廃棄物として発生することは望ましくない。
【０００５】
特許文献１では、既設の直管型蛍光灯をLED灯に交換する場合に、天井や壁等に取付けられている蛍光灯取付け装置や反射板等をそのまま残し、それらをLED灯取付け装置として利用することが提案されている。
【先行技術文献】
【特許文献】
【０００６】
【特許文献１】特開２００１−３５１４０２号公報
【発明の概要】
【発明が解決しようとする課題】
【０００７】
特許文献１では、既設の蛍光灯取付け装置を廃棄物として出さないという利点はあるものの、直管型蛍光灯のように細長いLED灯（直管型LED灯）の両端にピン型口金があり、このピン型口金のピン端子を既設の蛍光灯取付け装置のソケットに嵌合させてLED灯を支持する構造となっているため次のような問題があった。LEDは発熱量が多いため直管型LED灯は軸方向中央部が湾曲したり変形したりすることがあり、短いピン端子をソケットに挿入しただけではピン端子がソケットから外れてLED灯が落下するおそれがあった。
【０００８】
本願発明の課題は、天井、壁等に取付けられている既設の蛍光灯取付け装置を廃棄物として出すことなく、蛍光灯とソケットを外した後の既設の蛍光灯取付け装置のフレーム、ソケット支持具、反射板等をそのまま利用でき、LED灯を確実に保持できるLED灯照明装置と、前記フレーム、ソケット支持具、反射板等に取付け可能な連結治具と、前記LED灯照明装置にLED灯を保持可能なLED灯保持具と、前記蛍光灯取付け装置に取付け可能なLED灯を提供することにある。
【課題を解決するための手段】
【０００９】
本願発明のLED灯照明装置は、既設の蛍光灯取付け装置から直管型蛍光灯を取外して、直管型LED灯を付け替えたLED灯照明装置において、既設装置側連結部と灯側連結部を備えた連結治具の既設装置側連結部が、既設の蛍光灯取付け装置から直管型蛍光灯と直管型蛍光灯用のソケットが取外されて前記蛍光灯取付け装置に残ったソケット支持具又はフレーム又は反射板又はフレームとそれに重ねられた反射板の長軸方向二以上の箇所に離れて取付けられ、治具側取付け部と灯側取付け部を備えたLED灯保持具の治具側取付け部が、前記灯側連結部に取付けられ、ピン型口金を備えない直管型LED灯の長軸方向端部が、前記灯側取付け部に取付けられたものである。
【００１０】
本願発明のLED灯照明装置は、既設の蛍光灯取付け装置から直管型蛍光灯を取外して、直管型LED灯を付け替えたLED灯照明装置において、既設装置側連結部と灯側連結部を備えた連結治具の既設装置側連結部が、既設の蛍光灯取付け装置から直管型蛍光灯と直管型蛍光灯用のソケットが取外されて前記蛍光灯取付け装置に残ったソケット支持具又はフレーム又は反射板又はフレームとそれに重ねられた反射板の長軸方向二以上の箇所に離れて取付けられ、ピン型口金を備えない直管型LED灯が、前記連結治具の灯側連結部に取付けられたものである。
【００１１】
本願発明のLED灯照明装置は、前記LED灯照明装置において、連結治具の灯側連結部に取付けられたピン型口金を備えない直管型LED灯の軸方向両端開口部が端面閉塞具で閉塞されたものである。
【００１２】
本願発明のLED灯照明装置は、前記LED灯照明装置において、既設の蛍光灯取付け装置における安定器が、LED灯照明用電源器に付け替えられ、そのLED灯照明用電源器を介してLED灯に電源供給できるようにしたものである。
【００１３】
本願発明のLED灯照明装置用連結治具は、前記LED灯照明装置に使用される連結治具において、連結治具が、既設の蛍光灯取付け装置から直管型蛍光灯と直管型蛍光灯用のソケットが取外されて前記蛍光灯取付け装置に残ったソケット支持具又はフレーム又は反射板又はフレームとそれに重ねられた反射板に連結可能な既設装置側連結部と灯側連結部を備え、前記灯側連結部はピン型口金を備えない直管型LED灯の長軸方向端部を保持可能な灯側取付け部を備えたLED灯保持具又はピン型口金を備えない直管型LED灯を取付け可能なものである。
【００１４】
本願発明のLED灯照明装置用連結治具は、前記LED灯照明装置用連結治具において、LED灯保持具の灯側取付け部が、ピン型口金を備えない直管型LED灯を嵌合可能な空間としたものである。
【００１５】
本願発明のLED灯照明装置用連結治具は、前記LED灯照明装置用連結治具において、連結治具が、既設の蛍光灯取付け装置の幅方向に横長である一つの基材に、一又は二以上設けられ、二以上の連結治具は前記基材の長軸方向に間隔をあけて設けられたものとすることもできる。
【００１６】
本願発明のLED灯照明装置用連結治具は、前記LED灯照明装置用連結治具において、連結治具が、長軸方向両端に直管型LED灯を取付け可能なLED灯保持具と一体であるか又はLED灯保持具と別体であってLED灯保持具に取付け可能とすることもできる。
【００１７】
本願発明のLED灯照明装置用連結治具は、前記LED灯照明装置用連結治具において、連結治具の既設装置側連結部が、既設の蛍光灯取付け装置から直管型蛍光灯と直管型蛍光灯用のソケットが取外されて前記蛍光灯取付け装置に残ったソケット支持具又はフレーム又は反射板又はフレームとそれに重ねられた反射板を挟着保持可能な二つの挟着片を備え、二つの挟着片の間に嵌合溝が形成され、嵌合溝は前記ソケット支持具又はフレーム又は反射板又はフレームとそれに重ねられた反射板に被せることができるものである。また、二つの挟着片が嵌合溝の間隔を調整可能であり、その間隔を狭めることによりソケット取外し後のソケット支持具又はフレーム又は反射板又はフレームとそれに重ねられた反射板を挟着可能であり、前記間隔を広げることにより前記挟着を解除可能とすることもできる。
【００１８】
本願発明のLED灯保持具は、前記LED灯照明装置に使用されるLED灯保持具において、
LED灯保持具が治具側取付け部と灯側取付け部を備え、治具側取付け部はソケット取外し後のソケット支持具又はフレーム又は反射板又はフレームとそれに重ねられた反射板に取付けられる連結治具の灯側連結部に取付け可能であり、灯側取付け部はピン型口金を備えない直管型LED灯の軸方向端部を保持可能なものである。また、灯側取付け部が直管型LED灯の軸方向端部を収容可能な収容空間であり、その収容空間の周壁に、ピン型口金を備えない直管型LED灯の灯本体と灯本体に嵌合された前面カバーとの嵌合部が嵌入可能な嵌合溝を備えることもできる。
【００１９】
本願発明のLED灯照明装置用直管型LED灯は、前記LED灯照明装置に使用されるLED灯において、直管型LED灯は二以上のLEDが取付けられた半円筒形又は略半円筒形の灯本体と、その灯本体の開口部に取付けられた前面カバーを備え、灯本体は、その長軸方向に細長である放熱フィンが、灯本体の半円筒形又は略半円筒形の背面に、その周方向に間隔をあけて数本設けられ、前面カバーは半円筒形又は略半円筒形であり、灯本体及び前面カバーの長軸方向両端にピン型口金を備えないものである。
【００２０】
本願発明のLED灯照明装置用直管型LED灯は、前記LED灯照明装置用LED灯において、灯本体とカバーの内側に、LEDの点灯に必要な電源回路が搭載されたものである。
【発明の効果】
【００２１】
本願発明のLED灯照明装置は次のような効果がある。
１．直管型蛍光灯とソケットを取外した既設の蛍光灯取付け装置をそのまま有効利用できるので、既設の蛍光灯取付け装置の無駄が少なく、廃棄処分される部品も少なくなり、廃棄物処理場の負担増を抑制できる。
２．直管型LED灯が、直管型蛍光灯とソケットを取外した既設の蛍光灯取付け装置に取付けられた連結治具に直に又はLED灯保持具を介して取付けられているので、直管型LED灯の取付けが確実になり、LEDからの放熱で直管型LED灯が変形しても脱落のおそれがない。
３．ピンレスタイプの直管型LED灯を使用することにより、既設の蛍光灯用ソケットがなくても取付け可能である。
４．LEDが長寿命であることから、長期にわたって直管型LED灯を交換する必要がなく、経済的でもある。
５．既設の蛍光灯取付け装置の安定器をLED灯照明用電源器に交換して既設の蛍光灯取付け装置の電源配線を利用できるので、新設配線の面倒がない。
【００２２】
本願発明のLED灯照明装置用連結治具は次のような効果がある。
１．既設の蛍光灯取付け装置に装着できる既設側連結部と、直管型LED灯又はLED灯保持具を取付け可能な灯側連結部があるため、蛍光灯取付け装置への取付けも、直管型LED灯の取付けも容易にできる。
２．連結治具が、蛍光灯用ソケットを取外した既設の蛍光灯取付け装置のソケット支持具、フレーム、反射板等に取付け可能であるため、既設の蛍光灯取付け装置を有効活用できる。
３．連結治具がピンレスタイプの直管型LED灯を保持できるLED灯保持具に取付けられている場合は、直管型LED灯の取付けが容易且つ確実にできる。
４．連結治具が既設の蛍光灯取付け装置のソケット支持具、フレーム、反射板等を挟着保持可能な二つの挟着片を有する場合は、その挟着片で前記ソケット支持具、フレーム、反射板等を挟んでそれらへ取付けることができ、取付けが容易且つ確実になる。
【００２３】
本願発明のLED灯保持具は次のような効果がある。
１．取付け部を備えているので、蛍光灯、ソケットを取外した既設の蛍光灯取付け装置への取付けが容易である。
２．収容空間と嵌合溝を備えているので、LED灯の保持が確実になる。
【００２４】
本願発明のLED灯照明装置用直管型LED灯は次のような効果がある。
１．半円筒状又は略半円筒状の灯本体と、灯本体の開口部に脱着可能な半円筒状又は略半円筒状の前面カバーが互いに脱着可能であるので、灯本体と前面カバーの取付けが容易且つ確実になり、前面カバーを外せば連結治具への取付けも容易になる。
２．放熱フィンが本体の背面周方向に間隔をあけて複数本設けられ、それら放熱フィンが本体の軸方向に細長であるため、灯本体が小型であっても放熱効率が良い。
３．灯本体及び前面カバーの軸方向両端にピン型口金を備えないピンレスタイプの場合は、構成が簡潔で安価になり、LED灯保持具に嵌合し易くもなる。
４．本体に電源回路を搭載した場合は、LED灯の外部に別途電源回路を設ける必要がなく、構成が簡素になる。
【図面の簡単な説明】
【００２５】
【図１】本願発明のLED灯照明装置用連結治具を、既設の蛍光灯取付け装置のソケット支持具に取付ける過程の説明図。
【図２】本願発明のLED灯照明装置用連結治具を、既設の蛍光灯取付け装置のソケット支持具に取付けた状態の説明図。
【図３】本願発明のLED灯照明装置用直管型LED灯にLED灯保持具を嵌合した状態の説明図。
【図４】（ａ）は本願発明のLED灯照明装置用連結治具の一例を示す底面側斜視図、（ｂ）は上面側斜視図。
【図５】（ａ）は図６に示すLED灯保持具にセットした直管型LED灯を図２の連結治具に取付けた状態を示す縦断正面図、（ｂ）は同状態を示す縦断側面図。
【図６】（ａ）は本願発明のLED灯照明装置に使用されるLED灯保持具の一例を示す右側斜視図、（ｂ）は左側斜視図。
【図７】本願発明のLED灯照明装置用直管型LED灯の分解斜視図。
【図８】本願発明のLED灯照明装置用直管型LED灯の組立て斜視図。
【図９】本願発明のLED灯照明装置用直管型LED灯をLED灯保持具に嵌合した状態の左側端部の斜視図。
【図１０】本願発明のLED灯照明装置用直管型LED灯と端面閉塞具及び連結治具の取付け状態の一例を示す一部分解斜視図。
【図１１】（ａ）は図９のLED灯照明装置用直管型LED灯を既設の蛍光灯取付け装置のソケット支持具に連結治具を介して取付けた状態の縦断正面図、（ｂ）は同状態の縦断側面図。
【図１２】本願発明のLED灯照明装置用連結治具の他例を示すもので、（ａ）は底面側斜視図、（ｂ）は上面側斜視図、（ｃ）はネジ締付け前の縦断面図、（ｄ）はネジ締付け後の縦断面図。
【図１３】図１２に示すLED灯照明装置用連結治具を既設の蛍光灯取付け装置のソケット支持具に取付けた状態を示す説明図。
【図１４】本願発明のLED灯照明装置において、図１２に示すLED灯照明装置用連結治具を反射板に取付けた状態の説明図。
【図１５】（ａ）は本願発明のLED灯照明装置用連結治具を他の形状のソケット支持具に取付けた状態を示す部分図、（ｂ）は反射板を取付けた状態の底面図。
【図１６】本願発明の二連型のLED灯照明装置用連結治具を示すもので、（ａ）は底面側斜視図、（ｂ）は上面側斜視図。
【図１７】図１６の二連型のLED灯照明装置用連結治具を使用して既設の二灯型蛍光灯取付け装置にLED灯を二灯取付けた状態の縦断正面図。
【図１８】既設のＶ字型蛍光灯取付け装置にLED灯を取付けた状態の縦断正面図。
【図１９】（ａ）は本願発明のLED灯照明装置内の配線説明図、（ｂ）は既設の蛍光灯取付け装置内の配線説明図。
【図２０】既設の二灯型蛍光灯取付け装置にLED灯を一灯取付けた状態の縦断正面図。
【図２１】既設のＶ型二灯型蛍光灯取付け装置にLED灯を一灯取付けた状態の縦断正面図。
【図２２】直管型蛍光灯を二本取付けた従来の蛍光灯取付け装置の説明図。
【図２３】直管型蛍光灯一本用の従来の蛍光灯取付け装置の説明図。
【図２４】図２３の蛍光灯取付け装置からソケットを取外す状態の説明図。
【発明を実施するための形態】
【００２６】
（実施形態）
本願発明のLED灯照明装置と、それに使用される連結治具、LED灯保持具及びLED灯の実施形態の一例を図面に基づいて説明する。本願発明のLED灯照明装置の一例として図示したものは、図２２、図２３に示す既設の蛍光灯照明装置（蛍光灯取付け装置）１から直管型蛍光灯２（図２２）を取外し、図２４のように反射板３、ソケット４を取外し、既設の蛍光灯取付け装置１のフレーム５の内側に残ったソケット支持具６に、図１、図２のように連結治具７を取付け、前記フレーム５に反射板３を付け戻し、反射板３の開口部３ａ（図２）から下方に露出又は突出する連結治具７に、その下方から図３のように細長の直管型LED灯（取外した蛍光灯とほぼ同じ長さ）８の軸方向端部に被せたLED灯保持具９をネジ１０（図２）により、図５（ａ）、（ｂ）のように直管型LED灯８を既設の蛍光灯取付け装置１に取付けたものである。
【００２７】
図１、図２に示す既設のソケット支持具６はコ字形であるが、ソケット支持具６には各種形状のもの、例えば図１５（ａ）に示すようなものがある。図１、図２は蛍光灯取付け装置１の軸方向一端（左端）部分のみを図示してあるが、本願発明のLED灯照明装置は軸方向他端（右端）にも左端部分と同様に、既設のソケット４を取外して残ったソケット支持具６があり、それに連結治具７を取付け、反射板３を前記蛍光灯取付け装置１に付け戻し、反射板３の開口部３ａから下方に露出又は突出する連結治具７にその下方から、図３の直管型LED灯８の軸方向右端のLED灯保持具９をネジ１０で取付けて、直管型LED灯８の右端も既設の蛍光灯取付け装置１に図５（ａ）、（ｂ）に示すように取付けてある。
【００２８】
前記連結治具７の詳細を図４に示す。この連結治具７は図１、図２に示すようにソケット支持具６に嵌合可能な嵌合溝１１と、ソケット支持具６を挟持可能な二つの挟着片１２、１３とを備えた既設側取付け部１４と、LED灯保持具９を取付け可能な止め孔（灯側連結部）１５を備えている。前記嵌合溝１１は図２のように板状のソケット支持具５の奥まで被せることができるように連結治具７の幅方向両側面に開口しており、二つの挟着片１２、１３は嵌合溝１１の上下に対向して形成されている。前記止め孔１５は貫通方向入口側（図２のようにソケット支持具６に取付けると下になる側）がネジ無し孔１５ａ（図４（ａ））、貫通方向出口側（図２のようにソケット支持具６に取付けると上になる側）がネジ孔１５ｂ（図４（ｂ））となっている。この孔構造とすることにより、図２のようにLED灯保持具９の止め孔（取付け部）９ａにその下方から差込んだネジ（ボルト）１０が図５（ｂ）のようにネジ無し孔１５ａに差込まれ、途中からネジ孔１５ｂにネジ込まれてLED灯保持具９が連結治具７に固定されるようにしてある。連結治具７はアルミ製、金属製、樹脂製、その他の所望材質製とすることができ、LED灯を吊下げても変形しない剛性とするのがよい。前記嵌合溝１１はそれを嵌合部材、例えば、ソケット支持具６に密に嵌合できて、嵌合するだけで嵌合部材から外れないようにしておくのが望ましい、そのためには、嵌合溝１１の両側の二つの挟着片１２、１３をバネ構造、例えば板バネ状にするとか、他の挟着構造とすることができる。
【００２９】
LED灯保持具９の詳細を図６に示す。このLED灯保持具９は直管型LED灯８の軸方向一端を収容できる収容空間１６と、図７、図８に示す直管型LED灯８の灯本体１７の受け溝１７ｂ内に前面カバー１８の差込突部１８ｂを嵌入した連結部１９を差込可能な嵌合溝２０と、灯本体１７の放熱フィン２１（図７）のうち両外側の放熱フィン２１の上に図８のように被さる上縁２２（図６）と、連結治具７にネジ止めするための止め孔９ａ（図６）を備えている。図６の収容空間１６は下部がLED灯の形状に合わせて半円状又は略半円状であり、上部が開口しており、嵌合溝２０と上縁２２の夫々が両側壁２３の軸方向に沿って形成されている。嵌合溝２０は左右の側壁２３の対向位置に形成され、上縁２２も左右の側壁２３の対向位置に形成されている。LED灯保持具９は剛性（硬質）の樹脂製であるが、LEDからの放熱で変形しにくく、放熱性に優れたものが良く、アルミ製、金属製といった材質製とすることもできる。
【００３０】
直管型LED灯８は図７に示すように、灯本体１７と前面カバー１８で構成されている。灯本体１７は金属、アルミ等の放熱性に優れた材質製であり、細長の半円筒状又は略半円筒状であり、開口部１７ａと受け溝１７ｂを備え、受け溝１７ｂは灯本体１７の幅方向両側に形成され、灯本体１７の長手方向全長に形成されている。灯本体１７の背面には数本の放熱フィン２１が周方向に間隔をあけて配列されており、各放熱フィン２１は灯本体１７の軸方向に細長である。
【００３１】
灯本体１７の幅方向中央部には、外側に一段突出した（内側：図７では上方に一段窪んだ）LED配置部２４（図７）が形成されている、そのLED配置部２４は灯本体１７の軸方向に沿って細長に形成されており、そのLED配置部２４の内面に多数のLED２５（図１２）が間隔をあけて配置固定されている。LED２５はチップ状のものを個々に配置固定することもできるが、多数のLED２５が基板２６に間隔をあけて配置固定されているLEDモジュールを配置固定することもできる。灯本体１７にはLED２５の点灯に必要な電源回路や電源回路に必要な電子部品、電気機器等を組み込むことができる。これら電源回路、電子部品、電気機器等は灯本体１７の軸方向両端部に設けて、灯本体１７及び前面カバー１８の軸方向両端部に被せるLED灯保持具９の内側に隠れるようにすると体裁が良い。前記灯本体１７の受け溝１７ｂ内に前面カバー１８の差込突起１８ｂを差込んで直管型LED灯８としてある。
【００３２】
図７の前面カバー１８は細長の半円筒状又は略半円筒状であり、開口部１８ａと差込突起１８ｂを備え、差込突起１８ｂは前面カバー１８の幅方向両側方に突出して形成され、前面カバー１８の長手方向全長に形成されている。差込突起１８ｂは前記受け溝１７ｂに嵌入可能である。前面カバー１８は直進性のLED光をまぶしくならない程度に遮光（減光）できるものや、前面カバーの幅方向（横方向）に拡散できるものが望ましい。一例としては半透明の樹脂製や曇りガラス製とすることができるし、着色されたものでもよい。前面カバー１８の内側或いは内面に光拡散板を積層したり配置したりすることもできる。本願発明の灯本体１７、前面カバー１８の形状、サイズ等は用途に合わせて変えることができる。灯本体１７及び前面カバー１８の軸方向両端は開口しており、従来の蛍光灯のピン型口金２８（図２０）を備えないピンレスタイプとして、LED灯保持具９（図６）に差込み易くしてある。
【００３３】
本願発明のLED灯照明装置は、図６に示すようなLED灯保持具９を使用せずに、図１０に示すように、図１１（ａ）、（ｂ）のように既設の蛍光灯取付け装置１のソケット支持具６に固定した連結治具７に、直管型LED灯８を直にネジで取付ける（直付けする）こともできる。図１１（ａ）、（ｂ）では図１０の連結治具７の嵌合溝１１（図１）をソケット支持具６に固定し、その連結治具７に、その下方から直管型LED灯８の前面カバー１８（図７）を取外した灯本体１７をネジ１０で固定し、その後に、灯本体１７の受け溝１７ｂに前面カバー１８の差込突起１８ｂを差込んで直管型LED灯８を組み立て、その直管型LED灯８の軸方向両端に図１０のように板状の端面閉塞具２７を取付けたものである。端面閉塞具２７はその差込筒部２７ａ（図１０）を図１１（ｂ）のように直管型LED灯８の灯本体１７及び前面カバー１８の内側に差込んで取付けてある。この場合の直管型LED灯８もピンレスタイプである。
【００３４】
本願発明のLED灯照明装置は、図１２（ａ）、（ｂ）に示す連結治具７を使用して、既設の蛍光灯取付け装置１に直管型LED灯８を図１３のように取付けることもできる。図１２（ａ）、（ｂ）に示す連結治具７はブロック３１が溶接とか他の手段で固定された平板状の挟着片１３と平板状の挟着片１２が対向しており、その両挟着片１３とその間の空間１１により既設の蛍光灯取付け装置１に連結可能な既設側連結部１４が形成され、前記両挟着片１２、１３は、ブロック３１から挟着片１３を貫通して挟着片１２までねじ込まれた２本の締付けネジ３０で連結され、その締付けネジ３０の締付けを緩めると対向する２枚の両挟着片１２、１３の空間１１が図１２（ｃ）のように広がり、締付けネジ３０を締付けるとその空間１１が図１２（ｄ）のように狭くなって、図１３のように両挟着片１２、１３間に例えばソケット支持具６を挟着固定できるようにしてある。前記両締付けネジ３０の間に止め孔１５が開口されている。この止め孔１５は図１２（ｃ）、（ｄ）に示すようにブロック３１の底面から灯側連結部１５の挟着片１３まで貫通し、ブロック３１内がネジ孔、挟着片１３内がネジ無し孔となっている。この連結治具７を使用して直管型LED灯８を取付けるには、図１３のように連結治具７をソケット支持具６に取付け、反射板３を付け戻す。このとき、連結治具７の灯側連結部１５が反射板３の既設の開口部３ａから下方に露出する。その状態で直管型LED灯８の軸方向両端が嵌合されたLED灯保持具９（図１３）を、図１３のように反射板３の下からネジ１０で連結治具７の止め孔１５にねじ込んで、直管型LED灯８を既設の蛍光灯取付け装置１に取付けることができる。
【００３５】
図１２（ａ）、（ｂ）に示す連結治具７は、図１４のように、既設の蛍光灯取付け装置１の反射板３の軸方向一端の周縁部３ｂに取付けることもできる。図１４に示すものは、二枚の挟着片１２、１３で反射板３の周縁部３ｂを挟み、二本の締付けネジ３０を締付けて両挟着片１２、１３で周縁部３ｂを挟着固定する。その固定状態で図９のように直管型LED灯８の軸方向両端が嵌合されたLED灯保持具９を、図１３に示すようなネジ１０で図１４に示す連結治具７の止め孔１５にねじ込んで、直管型LED灯８を既設の蛍光灯取付け装置１に取付けることができる。
【００３６】
図１２（ａ）、（ｂ）に示す連結治具７は、図１５（ａ）、（ｂ）のようにして、既設の蛍光灯取付け装置１のソケット支持板６に取付けることもできる。図１５（ａ）に示すものは、二枚の挟着片１２、１３でソケット支持具６を挟み、二本の締付けネジ３０を締付けて両挟着片１２、１３でソケット支持具６を挟着固定する。その二つの連結治具７に、LED灯保持具９が取付けられている基板３２をネジ１０で固定して、直管型LED灯８を既設の蛍光灯取付け装置１に取付けることができる。
【００３７】
本願発明では図１２（ａ）、（ｂ）の連結治具７を、既設の蛍光灯取付け装置１のフレーム５の周縁部５ａ（図１２）に取付けて、その連結治具７に直管型LED灯８を取付けることもできる。連結治具７は既設の蛍光灯取付け装置１のフレーム５の周縁部５ａとそれに重ねた反射板３の双方を、図１２（ａ）、（ｂ）の連結治具７の挟着片１２、１３で挟み、締付けネジ３０を締付けてフレーム５の周縁部５ａと反射板３の周縁部３ｂの双方に挟着固定することもできる。この場合は、反射板３だけの場合よりも強度が優れ、直管型LED灯８の支持が確実、安全になる。
【００３８】
本願発明で使用する連結治具７は図１６（ａ）、（ｂ）のようなものであってもよい。この連結治具７は図４の連結治具７を二つ連結したものであり、図１７のように既設の蛍光灯取付け装置１の二つのソケット支持具６に取付け、左右の連結治具７にソケット支持具６を取付けて、直管型LED灯８を取付けることができるようにしてある。この場合、連結治具７のブロック３１を反射板３の開口部３ａから下方に突出させておくことにより連結治具７への直管型LED灯８の取付けが容易になり、反射板３に孔をあけることなく連結治具７に直管型LED灯８を取付けることができる。
【００３９】
図１８は、Ｖ型の反射板３を備えた蛍光灯取付け装置１に直管型LED灯８を取付けた例である。この場合は、蛍光灯取付け装置１の二つのソケット支持具６に図４又は図１２（ａ）、（ｂ）に示す連結治具７を取付け、それら連結治具７にLED灯保持具９を取付けて、直管型ＬＥＤ灯８を保持できるようにしてある。この場合も、連結治具７のブロック３１を反射板３の開口部３ａから下方に突出させておくことにより連結治具７への直管型LED灯８の取付けが容易になり、反射板３に孔をあけることなく連結治具７に直管型LED灯８を取付けることができる。
【００４０】
本願発明の連結治具７は既設の蛍光灯取付け装置１に取付け可能であれば図示した以外の形状、構造のものであってもよく、既設の蛍光灯取付け装置１のソケット支持具６、フレーム５、反射板３以外の箇所に取付け可能なものであってもよい。連結治具７はLED灯保持具９と一体化しておくこともでき、連結治具７及びLED灯保持具９が樹脂製の場合は一体成型、アルミ製の場合は一体に押出成型、その他の金属の場合は溶接等で一体化することもできる。
【００４１】
本願発明のLED灯保持具９も直管型LED灯８の軸方向端部又は軸方向任意の箇所（例えば中間部）を保持可能であれば他の形状、構造、サイズであってもよい。連結治具７へのLED灯保持具９の取付けもボルト１０（図５）以外の固定手段であってもよい。
【００４２】
既設の蛍光灯取付け装置１は図１９（ｂ）に示すように安定器４０を備えているが、本願発明のLED灯照明装置では、その安定器４０を図１９（ａ）のようにLED灯照明用電源器（LEDドライバ）４１に替え、そのLED灯照明用電源器４１と直管型LED灯８を接続コネクタ４２で接続して直管型LED灯８に電源供給できるようにすることができる。
【００４３】
図２０は板状の一枚の基材３２に取付けられている二つの連結治具７を既設の蛍光灯取付け装置１のソケット支持具６に取付け、連結治具７の下から反射板３を付け戻し、反射板３の開口部３ａから連結治具７のブロック３１を下方に突出させておく。この状態で、LED灯保持具９を前記基材３２の下面に固定ネジ３３で取付けて直管型LED灯８を既設の蛍光灯取付け装置１に取付けてある。このようにすることにより蛍光灯が二本取付けられていた既設の蛍光灯取付け装置に一本のLED灯を取付けることができる。この場合、連結治具７と基材３２は一体であっても別体であってもよい。別体の場合は固定ネジ３３で脱着可能とする。図２０の基材３２は平板であるが、他の形状、構造であってもよい。この場合も、連結治具７のブロック３１を反射板３の開口部３ａから下方に突出させておくことにより連結治具７への直管型LED灯８の取付けが容易になり、反射板３に孔をあけることなく連結治具７に直管型LED灯８を取付けることができる。
【００４４】
図２１は一枚の基材３２に取付けられている二つの連結治具７を既設の蛍光灯取付け装置のソケット支持具６に取付け、連結治具７の下から反射板３を付け戻し、反射板３の開口部３ａから連結治具７のブロック３１を下方に突出させておく。この状態で、その基材３２の下面に固定ネジ３３で取付けられているLED灯保持具９に直管型LED灯８が保持されている。このようにすることにより蛍光灯が二本取付けられていた既設の蛍光灯取付け装置に一本のLED灯を取付けることができる。この場合の連結治具７と基材３２も一体であっても別体であってもよい。別体のときは固定ネジ３３で脱着可能とする。図２０の基材３２はその軸方向中央部３４が平坦で、その両側部分３５が外側上がりに傾斜し、軸方向中央部３４にLED灯保持具９を固定ネジ３３で取付けてある。この基材３２も他の形状、構造とすることもできる。この場合も、連結治具７のブロック３１を反射板３の開口部３ａから下方に突出させておくことにより連結治具７への直管型LED灯８の取付けが容易になり、反射板３に孔をあけることなく連結治具７に直管型LED灯８を取付けることができる。
【００４５】
本願発明は蛍光灯が３本以上の既設の蛍光灯取付け装置１に付け替えることもできるし、図示した以外の形状の蛍光灯取付け装置１に付け替えることもできる。本願発明における連結治具７、LED灯支持具９、灯本体１７、前面カバー１８、他の構成部材を全て不燃材製にすると、地下鉄の構内とかその他の不燃要請場所に設置するのに適する。直管型LED灯８の前面カバー１８の不燃材としては例えばガラスがある。
【符号の説明】
【００４６】
１  蛍光灯取付け装置
２  直管型蛍光灯
３  反射板
３ａ  反射板の開口部
３ｂ  反射板の周縁部
４  ソケット
５  フレーム
５ａ  フレームの周縁部
６  ソケット支持具
７  連結治具
８  直管型LED灯
９  LED灯保持具
９ａ  LED灯保持具の取付け部（止め孔）
１０  ネジ（ボルト）
１１  嵌合溝
１２  挟着片
１３  挟着片
１４  既設側連結部
１５  灯側連結部（止め孔）
１５ａ  ネジ無し孔
１５ｂ  ネジ孔
１６  収容空間
１７  灯本体
１７ａ  開口部
１７ｂ  灯本体の受け溝
１８  前面カバー
１８ａ  前面カバーの開口部
１８ｂ  前面カバーの差込突部
１９  連結部
２０  嵌合溝
２１  放熱フィン
２２  上縁
２３  側壁
２４  LED配置部
２５  LED
２６  基板
２７  端面閉塞具
２７ａ  差込筒部
２８  ピン型口金
３０  締付けネジ
３１  ブロック
３２  基材
３３  固定ネジ
３４  基材の中央部
３５  基材の両側部分
４０  安定器
４１  LED灯照明用電源器
４２  接続コネクタ
【手続補正２】
【補正対象書類名】特許請求の範囲
【補正対象項目名】全文
【補正方法】変更
【補正の内容】
【特許請求の範囲】
【請求項１】
既設の蛍光灯取付け装置から直管型蛍光灯を取外して、直管型LED灯を付け替えたLED灯照明装置において、
既設装置側連結部と灯側連結部を備えた連結治具の既設装置側連結部が、既設の蛍光灯取付け装置から直管型蛍光灯と直管型蛍光灯用のソケットが取外されて前記蛍光灯取付け装置に残ったソケット支持具又はフレーム又は反射板又はフレームとそれに重ねられた反射板の長軸方向二以上の箇所に離れて取付けられ、
治具側取付け部と灯側取付け部を備えたLED灯保持具の治具側取付け部が、前記灯側連結部に取付けられ、
ピン型口金を備えない直管型LED灯の長軸方向端部が、前記灯側取付け部に取付けられた、ことを特徴とするLED灯照明装置。
【請求項２】
既設の蛍光灯取付け装置から直管型蛍光灯を取外して、直管型LED灯を付け替えたLED灯照明装置において、
既設装置側連結部と灯側連結部を備えた連結治具の既設装置側連結部が、既設の蛍光灯取付け装置から直管型蛍光灯と直管型蛍光灯用のソケットが取外されて前記蛍光灯取付け装置に残ったソケット支持具又はフレーム又は反射板又はフレームとそれに重ねられた反射板の長軸方向二以上の箇所に離れて取付けられ、
ピン型口金を備えない直管型LED灯が、前記連結治具の灯側連結部に取付けられた、ことを特徴とするLED灯照明装置。
【請求項３】
請求項２記載のLED灯照明装置において、
連結治具の灯側連結部に取付けられたピン型口金を備えない直管型LED灯の軸方向両端開口部が端面閉塞具で閉塞された、ことを特徴とするLED灯照明装置。
【請求項４】
請求項１乃至請求項３のいずれかに記載のLED灯照明装置において、
既設の蛍光灯取付け装置における安定器が、LED灯照明用電源器に付け替えられ、そのLED灯照明用電源器を介してLED灯に電源供給できるようにした、ことを特徴とするLED灯照明装置。
【請求項５】
請求項１乃至請求項４のいずれかに記載のLED灯照明装置に使用される連結治具において、
連結治具が、既設の蛍光灯取付け装置から直管型蛍光灯と直管型蛍光灯用のソケットが取外されて前記蛍光灯取付け装置に残ったソケット支持具又はフレーム又は反射板又はフレームとそれに重ねられた反射板に連結可能な既設装置側連結部と灯側連結部を備え、
前記灯側連結部はピン型口金を備えない直管型LED灯の長軸方向端部を保持可能な灯側取付け部を備えたLED灯保持具又はピン型口金を備えない直管型LED灯を取付け可能である、ことを特徴とするLED灯照明装置用連結治具。
【請求項６】
請求項５記載のLED灯照明装置用連結治具において、
LED灯保持具の灯側取付け部が、ピン型口金を備えない直管型LED灯を嵌合可能な空間である、ことを特徴とするLED灯照明装置用連結治具。
【請求項７】
請求項５又は請求項６記載のLED灯照明装置用連結治具において、
連結治具が、既設の蛍光灯取付け装置の幅方向に横長である一つの基材に、一又は二以上設けられ、二以上の連結治具は前記基材の長軸方向に間隔をあけて設けられた、ことを特徴とするLED灯照明装置用連結治具。
【請求項８】
請求項５乃至請求項７のいずれかに記載のLED灯照明装置用連結治具において、
連結治具が、長軸方向両端に直管型LED灯を取付け可能なLED灯保持具と一体であるか又はLED灯保持具と別体であってLED灯保持具に取付け可能である、ことを特徴とするLED灯照明装置用連結治具。
【請求項９】
請求項５乃至請求項８のいずれかに記載のLED灯照明装置用連結治具において、
連結治具の既設装置側連結部が、既設の蛍光灯取付け装置から直管型蛍光灯と直管型蛍光灯用のソケットが取外されて前記蛍光灯取付け装置に残ったソケット支持具又はフレーム又は反射板又はフレームとそれに重ねられた反射板を挟着保持可能な二つの挟着片を備え、
二つの挟着片の間に嵌合溝が形成され、嵌合溝は前記ソケット支持具又はフレーム又は反射板又はフレームとそれに重ねられた反射板に被せることができるものである、ことを特徴とするLED灯照明装置用連結治具。
【請求項１０】
請求項９記載のLED灯照明装置用連結治具において、
二つの挟着片が嵌合溝の間隔を調整可能であり、その間隔を狭めることによりソケット取外し後のソケット支持具又はフレーム又は反射板又はフレームとそれに重ねられた反射板を挟着可能であり、前記間隔を広げることにより前記挟着を解除可能である、ことを特徴とするLED灯照明装置用連結治具。
【請求項１１】
請求項１乃至請求項４のいずれかに記載のLED灯照明装置に使用されるLED灯保持具において、
LED灯保持具が治具側取付け部と灯側取付け部を備え、治具側取付け部はソケット取外し後のソケット支持具又はフレーム又は反射板又はフレームとそれに重ねられた反射板に取付けられる連結治具の灯側連結部に取付け可能であり、灯側取付け部はピン型口金を備えない直管型LED灯の軸方向端部を保持可能である、ことを特徴とするLED灯保持具。
【請求項１２】
請求項１１記載のLED灯保持具において、
灯側取付け部が直管型LED灯の軸方向端部を収容可能な収容空間であり、その収容空間の周壁に、ピン型口金を備えない直管型LED灯の灯本体と灯本体に嵌合された前面カバーとの嵌合部が嵌入可能な嵌合溝を備えた、ことを特徴とするLED灯保持具。
【請求項１３】
請求項１乃至請求項４のいずれかに記載のLED灯照明装置に使用されるLED灯において、
直管型LED灯は二以上のLEDが取付けられた半円筒形又は略半円筒形の灯本体と、その灯本体の開口部に取付けられた前面カバーを備え、
灯本体は、その長軸方向に細長である放熱フィンが、灯本体の半円筒形又は略半円筒形の背面に、その周方向に間隔をあけて数本設けられ、
前面カバーは半円筒形又は略半円筒形であり、
灯本体及び前面カバーの長軸方向両端にピン型口金を備えない、ことを特徴とするLED灯照明装置用直管型LED灯。
【請求項１４】
請求項１３記載のLED灯照明装置用直管型LED灯において、
灯本体とカバーの内側に、LEDの点灯に必要な電源回路が搭載された、ことを特徴とするLED灯照明装置用直管型LED灯。